(57)【要約】      （修正有）【課題】粘着テープに関し、片手で簡単かつ敏速に貼付できる。【解決手段】裏表両面のうち裏面にのみ粘着剤が塗布された粘着テープ本体１と、粘着テープ本体１の表面側に配置され、粘着テープ本体１の長手方向の長さよりも長く粘着テープ本体１の長手方向の両端部それぞれからはみだした端部２２を有し、粘着テープ本体１とは非接着であって粘着テープ本体１の剛性よりも高い剛性の可撓板２と、粘着テープ本体１の裏面側に配置され、粘着テープ本体１の粘着力に対し所定の剥離性を有し、２つに分割された剥離板３とを備え、剥離板３が、可撓板２の端部２２で可撓板２に接していることを特徴とする。【選択図】図１
2011067587.tif 000002
【特許請求の範囲】
【請求項１】
裏表両面のうち裏面にのみ粘着剤が塗布された粘着テープ本体と、
前記粘着テープ本体の表面側に配置され、該粘着テープ本体の長手方向の長さよりも長く該粘着テープ本体の長手方向の両端部それぞれからはみだした端部を有し、該粘着テープ本体とは非接着であって該粘着テープ本体の剛性よりも高い剛性の可撓板と、
前記粘着テープ本体の裏面側に配置され、該粘着テープ本体の粘着力に対し所定の剥離性を有し、２つに分割された剥離板とを備え、
前記剥離板が、前記可撓板の前記端部で該可撓板に接していることを特徴とする粘着テープ。
【請求項２】
裏表両面のうち裏面にのみ粘着剤が塗布された粘着テープ本体と、
前記粘着テープ本体の表面側に配置され、該粘着テープ本体に非接着であって、弾性および該粘着テープ本体の剛性よりも高い剛性を有する可撓板と、
前記粘着テープ本体の裏面側に配置され、該粘着テープ本体の粘着力に対し所定の剥離性を有するとともに該粘着テープ本体の剛性よりも高い剛性を有し、所定方向に交わる方向の分割線で２つに分割された剥離板とを備え、
前記剥離板は、前記粘着テープ本体の前記所定方向両端部分で前記可撓板に固定されたものであることを特徴とする粘着テープ。
【請求項３】
前記剥離板が、前記可撓板と一体のものであることを特徴とする請求項１または２記載の粘着テープ。
【請求項４】
前記剥離板が、少なくとも、
前記裏面に塗布された粘着剤に接し前記所定方向に交わる方向で２つに分割された、該接着剤の粘着力に対して所定の剥離性を有する剥離紙と、
前記所定方向に交わる方向で２つに分割されるとともに前記剥離紙に固定され、さらに前記粘着テープ本体の前記所定方向両端部分で前記可撓板に固定された部分を有する裏面側片とから構成されたものであることを特徴とする請求項２記載の粘着テープ。
【請求項５】
前記裏面側片が、前記可撓板と一体のものであることを特徴とする請求項４記載の粘着テープ。
【請求項６】
前記粘着テープ本体が、裏面中央部に、人体の創傷部に当てられる傷当てパッドを有するものであることを特徴とする請求項１から５いずれか１項記載の粘着テープ。
【請求項７】
前記可撓板および前記剥離板が袋体を形成するものであって、
前記粘着テープ本体が、前記袋体に収容されたものであることを特徴とする請求項１から６いずれか１項記載の粘着テープ。
【請求項８】
裏表両面のうち裏面にのみ粘着剤が塗布された粘着テープ本体と、該粘着テープ本体の裏面側に２つに分割されて配置された剥離紙とを有する粘着テープの貼付作業を補助する粘着テープ貼付補助具であって、
前記粘着テープ本体の表面側に配置され、該粘着テープ本体の所定方向に延在し該粘着テープ本体に非接着であって、弾性および該粘着テープ本体の剛性よりも高い剛性を有する可撓板と、
前記粘着テープの所定方向の両端部それぞれが差し込まれる隙間を前記可撓板との間で形成し、該粘着テープの、該隙間に差し込まれた該両端部それぞれを把持する２つの把持板とを備えたことを特徴とする粘着テープ貼付補助具。
【請求項９】
前記可撓板は、前記両端部を互いに近づけて前記裏面側が突出するようにこの可撓板をたわませると、前記把持板との間が狭まるものであることを特徴とする請求項８記載の粘着テープ貼付補助具。
【請求項１０】
前記可撓板または前記把持板の少なくともいずれか一方が、前記隙間を形成する面に滑り止めを有するものであることを特徴とした請求項８又は９記載の粘着テープ貼付補助具。
【請求項１１】
前記滑り止めは、前記粘着テープの前記両端部を前記可撓板の前記所定方向中央に向かう方向に移動させる際の摩擦係数が、該粘着テープの前記両端部を該可撓板の該所定方向中央から遠ざける方向に移動させる際の摩擦係数よりも大きなものであることを特徴とする請求項１０記載の粘着テープ貼付補助具。
【発明の詳細な説明】
【技術分野】
【０００１】
本発明は、片手で簡単かつ敏速に貼付可能な粘着テープと、粘着テープを片手で簡単に貼付可能な粘着テープ貼付補助具に関する。
【背景技術】
【０００２】
例えば、創傷患部を保護する救急絆創膏は、粘着テープの粘着面に患部保護バッドが固定され、さらに２分割された剥離紙が中央部で重なった状態で装着されて提供されている。患部に貼付る場合には、剥離紙を中央部から両側に開いて患部保護パッドを露出させ、その患部保護パッドを患部に当て、剥離紙を引き離しつつ粘着テープを肌に貼付るのが普通である。このように上述の粘着テープにおいては、両手で扱うことが前提とされているため、一方の手の患部に上記粘着テープを貼付る場合等、片手で粘着テープを貼付る必要がある場合には容易ではなかった。また、救急絆創膏に限らず、携帯用電子機器の液晶画面を保護等するために透明度のあるシート状の粘着テープをその液晶画面に貼り付ける場合等でも、片手で粘着テープを張り付けることは容易ではなかった。
【先行技術文献】
【特許文献】
【０００３】
【特許文献１】実開昭６１−１１１４１９号公報
【特許文献２】特開昭６０−１６８４５０号公報
【特許文献３】実開昭５８−１２４１２３号公報
【特許文献４】特開平６−１８１９４７号公報
【特許文献５】特開平８−１４１０１１号公報
【特許文献６】特開平７−４４５号公報
【特許文献７】特開２００２−２０２７０号公報
【発明の概要】
【発明が解決しようとする課題】
【０００４】
本発明は、上記欠点を解消するため、片手で簡単かつ敏速に貼付できる粘着テープと、粘着テープを片手で簡単に貼付可能な粘着テープ貼付補助具を提供することを目的としている。
【課題を解決するための手段】
【０００５】
上記課題を解決するために、本発明の第１の粘着テープは、
裏表両面のうち裏面にのみ粘着剤が塗布された粘着テープ本体と、
上記粘着テープ本体の表面側に配置され、その粘着テープ本体の長手方向の長さよりも長くその粘着テープ本体の長手方向の両端部それぞれからはみだした端部を有し、その粘着テープ本体とは非接着であってその粘着テープ本体の剛性よりも高い剛性の可撓板と、
上記粘着テープ本体の裏面側に配置され、その粘着テープ本体の粘着力に対し所定の剥離性を有し、２つに分割された剥離板とを備え、
上記剥離板が、上記可撓板の上記端部でその可撓板に接していることを特徴とする。
【０００６】
また、本発明の第２の粘着テープは、
裏表両面のうち裏面にのみ粘着剤が塗布された粘着テープ本体と、
上記粘着テープ本体の表面側に配置され、その粘着テープ本体に非接着であって、弾性およびその粘着テープ本体の剛性よりも高い剛性を有する可撓板と、
上記粘着テープ本体の裏面側に配置され、その粘着テープ本体の粘着力に対し所定の剥離性を有するとともにその粘着テープ本体の剛性よりも高い剛性を有し、所定方向に交わる方向の分割線で２つに分割された剥離板とを備え、
上記剥離板は、上記粘着テープ本体の上記所定方向両端部分で上記可撓板に固定されたものであることを特徴とする。
【０００７】
本発明の第１または第２の粘着テープによれば、片手で粘着テープを把持したままその粘着テープの粘着剤が塗布された面を露出させることができるため、簡単かつ敏速に貼り付けることができる粘着テープを提供することができる。なお、上記粘着テープ本体は、正方形であってもよいし、丸形であってもよい。上記粘着テープ本体が矩形である場合には、上記所定方向とは、例えば長手方向のことを意味する。さらに、上記剥離板は、一体であったものが使用時に２つに分割されるものであってもよい。上記所定方向に交わる方向とは、その所定方向に対して垂直に交わる方向（直交する方向）であってもよいし、その所定方向に対して斜めに交わる方向であってもよい。さらには、上記分割線は、直線であってもよいし、波線であってもよい。
【０００８】
ここで、上記第１又は第２の粘着テープにおいて、
上記剥離板が、上記可撓板と一体のものであってもよい。
【０００９】
この粘着テープによれば、部品点数を少なくしてコストを下げることができる。
【００１０】
また、上記第２の粘着テープにおいて、
上記剥離板が、少なくとも、
上記裏面に塗布された粘着剤に接し上記所定方向に交わる方向で２つに分割された、その接着剤の粘着力に対して所定の剥離性を有する剥離紙と、
上記所定方向に交わる方向で２つに分割されるとともに上記剥離紙に固定され、さらに上記粘着テープ本体の上記所定方向両端部分で上記可撓板に固定された部分を有する裏面側片とから構成されたものであってもよい。
【００１１】
この粘着テープによれば、従来の剥離紙がついた粘着テープを利用することができる。
【００１２】
さらに、上記第２の粘着テープにおいて、
上記裏面側片が、上記可撓板と一体のものであってもよい。
【００１３】
この粘着テープによれば、部品点数を少なくしてコストを下げることができる。
【００１４】
加えて、上記第１又は第２の粘着テープにおいて、
上記粘着テープ本体が、裏面中央部に、人体の創傷部に当てられる傷当てパッドを有するものであってもよい。
【００１５】
この粘着テープによれば、傷当てパッドがない場合に比べて、患部を衝撃や雑菌等からより保護することができる。
【００１６】
また、上記第１又は第２の粘着テープにおいて、
上記可撓板および上記剥離板が袋体を形成するものであって、
上記粘着テープ本体が、上記袋体に収容されたものであってもよい。
【００１７】
この粘着テープによれば、粘着テープ本体を衛生的に保つことができる。
【００１８】
ここで、上記袋体は、上記可撓板および上記剥離板から構成されるものであってもよいし、あるいは上記可撓板および上記剥離板ならびにその他の部材によって構成されるものであってもよい。また、上記袋体は、密閉された開封自在のものであることが好ましい。
【００１９】
上記課題を解決するために、本発明の粘着テープ貼付補助具は、
裏表両面のうち裏面にのみ粘着剤が塗布された粘着テープ本体と、その粘着テープ本体の裏面側に２つに分割されて配置された剥離紙とを有する粘着テープの貼付作業を補助する粘着テープ貼付補助具であって、
上記粘着テープ本体の表面側に配置され、その粘着テープ本体の所定方向に延在しその粘着テープ本体に非接着であって、弾性およびその粘着テープ本体の剛性よりも高い剛性を有する可撓板と、
上記粘着テープの所定方向の両端部それぞれが差し込まれる隙間を上記可撓板との間で形成し、その粘着テープの、その隙間に差し込まれたその両端部それぞれを把持する２つの把持板とを備えたことを特徴とする。
【００２０】
本発明の粘着テープ貼付補助具によれば、この補助具に市販の絆創膏を装填して、片手で簡単に貼りつけることができる。さらに、この補助具は再利用することができる。なお、上記可撓板は、上記粘着テープ本体の所定方向の長よりも短いものであってもよいし、該粘着テープ本体の所定方向の長さ以上のものであってもよい。
【００２１】
ここで、上記粘着テープ貼付補助具において、
上記把持板は、所定の外力が加わることで上記粘着テープの把持を解除するものであってもよい。
【００２２】
この粘着テープ貼付補助具によれば、装填された粘着テープを容易に取外すことができる。
【００２３】
また、上記粘着テープ貼付補助具において、
上記可撓板は、上記両端部を互いに近づけて上記裏面側が突出するようにこの可撓板をたわませると、上記把持板との間が狭まるものであってもよい。
【００２４】
この粘着テープ貼付補助具によれば、可撓板の撓みによって装填された粘着テープの把持および解放を調整することによって、より簡単に貼付作業をすることができる。
【００２５】
さらに、上記粘着テープ貼付補助具は、
上記可撓板または上記把持板の少なくともいずれか一方が、上記隙間を形成する面に滑り止めを有するものであってもよい。
【００２６】
この粘着テープ貼付補助具によれば、装填した粘着テープが外れないようにより確実に把持することができ、貼付作業を確実に行うことができる。
【００２７】
加えて、上記滑り止めは、上記粘着テープの上記両端部を上記可撓板の上記所定方向中央に向かう方向に移動させる際の摩擦係数が、その粘着テープの上記両端部をその可撓板のその所定方向中央から遠ざける方向に移動させる際の摩擦係数よりも大きなものであってもよい。
【００２８】
この粘着テープ貼付補助具によれば、粘着テープを装填し易く、かつ抜けおちないようにすることができる。
【発明の効果】
【００２９】
本発明によれば、片手で簡単かつ敏速に貼付できる粘着テープと、片手で簡単かつ敏速に粘着テープを貼付できる粘着テープ貼付補助具が実現する。
【図面の簡単な説明】
【００３０】
【図１】本発明の第１および第２の粘着テープの第１実施形態に係る絆創膏の断面図である。
【図２】図１に示す絆創膏をその表（おもて）面側から見た図である。
【図３】図１に示す絆創膏をその裏面側から見た図である。
【図４】図１に示す絆創膏を撓ませた様子を示す断面図である。
【図５】図１に示す絆創膏を指で挟んで撓ませて傷当てパッドが人体の創傷部に位置するように絆創膏を貼り付ける様子を示した図である。
【図６】（ａ）は、本発明の第１および第２の粘着テープの第２実施形態に係る絆創膏を示す断面図であり、（ｂ）は、（ａ）に示す絆創膏をそのおもて面側から見た図である。
【図７】（ａ）は、本発明の第２の粘着テープの第３実施形態に係る絆創膏を示す断面図であり、（ｂ）は、（ａ）に示す絆創膏をそのおもて面側から見た図である。
【図８】本発明の第２の粘着テープの第４実施形態である、剥離紙を有する絆創膏の断面図である。
【図９】（ａ）は、本発明の第２の粘着テープの第５実施形態である、剥離紙を有する絆創膏をおもて面側から見た図であり、（ｂ）は、（ａ）に示す絆創膏が有する裏面側片を示す図である。
【図１０】本発明の粘着テープ貼付補助具の第１実施形態である絆創膏貼付補助具に市販の絆創膏を装填した様子を示す図である。
【図１１】図１０に示す絆創膏貼付補助具の端部の断面図である。
【図１２】図１０に示す絆創膏貼付補助具を使用している様子を示す断面図である。
【図１３】本発明の粘着テープ貼付補助具の第２実施形態である、ベルトを用いた絆創膏貼付補助具を示す図である。
【発明を実施するための形態】
【００３１】
以下図面を参照して本発明の実施の形態を説明する。
【００３２】
図１は、本発明の第１および第２の粘着テープの第１実施形態に係る絆創膏Ｐ１の断面図である。図２は図１に示す絆創膏をその表（おもて）面側から見た図であり、図３は図１に示す絆創膏をその裏面側から見た図である。図４は図１に示す絆創膏を撓ませた様子を示す断面図である。
【００３３】
表裏面のうち裏面にのみ粘着剤が塗布された粘着テープ本体１の表面に所定の剛性を有した可撓板２が密着されている。しかしながら、粘着テープ本体１と可撓板２は非接着である。粘着テープ本体１はビニール製のものであり、裏面中央部に、人体の創傷部に当てられる傷当てパッド１１を有する。なお、粘着テープ本体１の素材はビニール製に限られず、例えばウレタン不織布、塩化ビニル、伸縮性綿布、スポンジシート、ウレタンフィルム、オレフィンフィルムなどであってもよい。
【００３４】
可撓板２は、粘着テープ本体１の剛性よりも高い剛性を有するプラスチック製のものであり、指で撓ませることが容易にできる程度の可撓性と弾性をもっている。この可撓板２は、粘着テープ本体１の長手方向の長さよりも長く、粘着テープ本体１の長手方向の両端部それぞれからはみだした端部２２を有する。この長手方向は、本発明の所定方向の一例に相当する。
【００３５】
粘着テープ本体１の裏面側には長手方向に直交する方向の分割線で２分割した剥離板３が貼付られている。すなわち、この剥離板３は、所定方向に交わる方向の分割線で２つに分割された剥離板の一例に相当する。さらに、剥離板３は、粘着テープ本体１の粘着力に対し所定の剥離性と、粘着テープ本体１の剛性よりも高い剛性とを有する。また、この剥離板３は、可撓板２の端部２２で可撓板２に接している。この端部２２は、粘着テープ本体１の長手方向両端部分であり、この端部２２で可撓板２と剥離板３とが固定されている。すなわち、剥離板３は、粘着テープ本体１の長手方向両端部分で可撓板２に固定されたものである。
【００３６】
以上説明したように、本実施形態の絆創膏Ｐ１では、粘着テープ本体１より大きい剥離板３と、可撓板２とで、粘着テープ本体１を挟み込んでいる。
【００３７】
なお、可撓板２の素材を粘着テープ本体１の粘着力に対して剥離可能なものとし、剥離板３として利用することも可能であり、その場合、必ずしも可撓板２と剥離板３を別部材とする必要は無く、可撓板２を端縁ａで折り曲げて、一体のものとしてもよい。
【００３８】
また、図３にあるように、可撓板２と剥離板３の接するすべての部分ｃと、２分割された剥離板３の重なり合った部分ｄを所定の粘着力で接着して袋体を形成することにより、粘着テープ本体１を衛生的に密封した状態でこの袋体に収容することができる。
【００３９】
図５は、図１に示す絆創膏を指で挟んで撓ませて傷当てパッドが人体の創傷部に位置するように絆創膏を貼り付ける様子を示した図である。
【００４０】
図５に示すように、本実施形態の絆創膏Ｐ１は可撓板２の可撓性を利用して片手で容易に折り曲げるように撓ませることができる。可撓板２を撓ませることにより剥離板３を粘着テープ本体１より剥離する方向に力が加わり、剥離板３が粘着テープ本体１より部分的に剥離され、粘着テープ本体１が部分的に外部に露出する。すなわち、絆創膏Ｐ１を片手で撓ませると、剥離板３が開き、傷当てパッド１１が露出する。その露出部分（傷当てパッド１１）を始点として剥離板３を粘着テープ本体１及び可撓板２と引き離しつつ貼付面に固定していけば（傷当てパッド１１が人体の創傷部に位置するように絆創膏Ｐ１を貼り付ければ）、粘着テープの貼付が簡単かつ敏速にでき、片手でも可能となる。このように、可撓
板２を折り曲げることにより粘着テープ本体１の粘着面を部分的に露出させることができ、露出した粘着面を患部にあてがいつつ、剥離板３を剥離させていくことにより、片手で簡単・敏速、かつ衛生的に粘着テープの貼付を行うことができる。
【００４１】
図６（ａ）は、本発明の第１および第２の粘着テープの第２実施形態に係る絆創膏Ｐ２を示す断面図であり、図６（ｂ）は、（ａ）に示す絆創膏Ｐ２をそのおもて面側から見た図である。なお、これまでに説明したものと同一のものについては同じ符号を付して説明を省略する。この図６（ａ）および（ｂ）に示す絆創膏Ｐ２は、図１に示す絆創膏Ｐ１の裏面側にカバー４を設けた形式のものである。ただし、図６に示す可撓板２は図１に示す可撓板２と比較して縦横ともに大きいものである。裏面側に設けたカバー４はこの可撓板２と同じ大きさのものであり、可撓板２と向かい合って互いの周辺部を接着することによって袋体を形成する。この袋体の中に粘着テープ本体１、傷当てパッド１１、および剥離板３が収納されている。このように袋体を形成することで、粘着テープ本体１と傷当てパッド１１とを衛生に保つことができる。この絆創膏Ｐ２のカバー４を剥がせば、その後は上述の第１実施形態に係る絆創膏Ｐ１と同様の手順で使用することができる。
【００４２】
図７（ａ）は、本発明の第２の粘着テープの第３実施形態に係る絆創膏Ｐ３を示す断面図であり、図７（ｂ）は、（ａ）に示す絆創膏Ｐ３をそのおもて面側から見た図である。なお、これまでに説明したものと同一のものについては同じ符号を付して説明を省略する。この図７（ａ）には絆創膏Ｐ３の長手方向において、粘着テープ本体１の長さと、可撓板２の長さが同じである様子が示されている。また、図７（ｂ）には絆創膏Ｐ３の短手方向において、可撓板２が粘着テープ本体１よりも長いものである様子が示されている。この図７（ｂ）に示す左下がりのハッチングは、可撓板２と剥離板３との接着部分２３を示している。これらの接着部分２３は、可撓板２が粘着テープ本体１の短手方向にはみ出した、粘着テープ本体１の長手方向両端部分である。すなわち、剥離板３は、粘着テープ本体１の長手方向両端部分で可撓板２に固定されたものである。
【００４３】
粘着テープ本体１の裏面側には長手方向に直交する方向の分割線で２分割した剥離板３が貼付られている。すなわち、この剥離板３は、所定方向に交わる方向の分割線で２つに分割された剥離板の一例に相当する。さらに、剥離板３は、粘着テープ本体１の粘着力に対し所定の剥離性と、粘着テープ本体１の剛性よりも高い剛性とを有する。また、この剥離板３は、可撓板２の端部２２で可撓板２に接している。
【００４４】
図８は、本発明の第２の粘着テープの第４実施形態である、剥離紙３０を有する絆創膏Ｐ４の断面図である。なお、これまでの図において説明したものと同一のものについては、同一の符号を付して説明を省略する。この図８に示す絆創膏Ｐ４では、剥離板３は、剥離紙３０と裏面側片３１との２層構造である。図８では剥離紙３０が、左下がりのハッチングによって示されている。この剥離紙３０は、粘着テープ本体１側に設けられたものであり、粘着テープ本体１の裏面に塗布された粘着剤に接しているが、その接着剤の粘着力に対して所定の剥離性を有する。裏面側片３１は、剥離紙３０を覆うよう設けられたものであり、一端は、可撓板２の端部ａで接着されることによって固定されている。なお、裏面側片３１は、可撓板２と一体のものであってもよい。この裏面側片３１は、剥離紙３０に固定されている。剥離板３は、長手方向に直交する方向の分割線で２つに分割され、裏面側片３１の他端となる側はさらに延在している。すなわち、図８に示す左右の剥離板３では自由端側部分３ａが重なっている。
【００４５】
図９（ａ）は、本発明の第２の粘着テープの第５実施形態である、剥離紙３０を有する絆創膏Ｐ５をおもて面側から見た図であり、図９（ｂ）は、同図（ａ）に示す絆創膏Ｐ５が有する裏面側片３１を示す図である。なお、これまでの図において説明したものと同一のものについては、同一の符号を付して説明を省略する。この図９（ａ）に示す絆創膏Ｐ５は、図８に示す絆創膏Ｐ４における、可撓板２および裏面側片３１の形状を変更し、裏面側片３１を可撓板２に固定する位置を変えたものである。具体的には、図８に示す絆創膏Ｐ４では裏面側片３１は粘着テープ本体１の長手方向からはみ出した部分で可撓板２に固定されているが、この図９（ａ）に示す絆創膏Ｐ５では裏面側片３１は、粘着テープ本体１の短手方向からはみ出す部分を有し、この部分で可撓板２に固定されている。なお、図９（ａ）には、可撓板２と裏面側片３１を固定している部分が左下がりのハッチングで示されている。すなわち、図８に示す絆創膏Ｐ４や、図９（ａ）に示す絆創膏Ｐ５のように、可撓板２と裏面側片３１とを固定する部分は、粘着テープ本体１の長手方向両端部分にあればよく、特にその位置は限定されるものではない。なお、剥離板３が、上記のような裏面側片３１と剥離紙３０の２層構造ではなく、剛性のある剥離紙による１層構造のものであってもよい。
【００４６】
以上説明した実施形態の絆創膏によれば、粘着テープ本体１と可撓板２とが非接着であるため、粘着テープ本体１と可撓板２の接着力の管理をする必要がなく、特に季節変動や経年変化による接着力の変化を気にする必要がない。このため、粘着テープ本体１の素材の制限がなく、粘着テープ本体１には、現在流通している様々な素材のものがそのまま使用できる。さらに、可撓板と剥離板で密封してパーツ点数を減らすことによって、コストを抑えることができる。
【００４７】
次に、図面を参照して本発明の補助具の実施の形態を説明する。
【００４８】
図１０は、本発明の粘着テープ貼付補助具の一実施形態である絆創膏貼付補助具２００に市販の絆創膏Ｂを装填した様子を示す図である。
【００４９】
この図１０に示す絆創膏貼付補助具２００は、裏表両面のうちの裏面にのみ接着剤が塗布された、粘着テープの一形態である絆創膏Ｂを片手で貼り付けるための補助具である。この絆創膏貼付補助具２００は両端が折り返されており、以下、折り返された部分を折り返し部２０２と称し、絆創膏貼付補助具２００の折り返し部２０２以外の部分を基部２０１と称する。
【００５０】
この基部２０１は弾性を有するとともに、絆創膏の剛性よりも高い剛性を有するものである。図１０では、この基部２０１は上記絆創膏Ｂの表面側に、この絆創膏Ｂと長手方向（本発明の所定方向の一例に相当）を揃えて配置された様子が示されている。このとき、この基部２０１と絆創膏Ｂとは非接着である。この基部２０１は、本発明の粘着テープ貼付補助具における可撓板の一例に相当する。
【００５１】
また、上記折り返し部２０２は、上記基部２０１との間に隙間Ｓを形成するものであり、この隙間Ｓに差し込まれた絆創膏Ｂの両端Ｂ１を把持する。すなわち、この折り返し部２０２は、本発明の粘着テープ貼付補助具における把持板の一例に相当する。この絆創膏貼付補助具２００の両端に設けられた隙間Ｓに絆創膏Ｂの両端Ｂ１をそれぞれ挿入することで、絆創膏貼付補助具２００に絆創膏Ｂが装填される。
【００５２】
図１１（ａ）は、図１０に示す絆創膏貼付補助具２００の端部の断面図である。この図には、絆創膏貼付補助具２００の基部２０１と、折り返し部２０２とによる隙間Ｓが示され、その隙間Ｓを形成する面に設けられた滑り止め部２０４と、その滑り止め部２０４よりも絆創膏Ｂの挿入方向（図１１（ｂ）に示す矢印参照）下流側に設けられたストッパー２０５も示されている。さらに、同図には折り返し部２０２の端部に設けられた摘み部２０３も示されている。この滑り止め部２０４は、絆創膏Ｂの挿入方向の移動に対しては摩擦係数が小さく、逆方向の移動に対しては摩擦係数が大きくなっている。すなわち、この滑り止め部２０４は、絆創膏Ｂの両端部Ｂ１を可撓板２０１の長手方向中央に向かう方向に移動させる際の摩擦係数が、絆創膏Ｂの両端部Ｂ１を可撓板２０１の長手方向中央から遠ざける方向に移動させる際の摩擦係数よりも大きなものであり、本発明の滑り止めの一例に相当するものである。これによって、絆創膏Ｂの挿入を妨げず、挿入された絆創膏Ｂが隙間Ｓから抜けてしまうことを防ぐ。また、ストッパー２０５は絆創膏Ｂの一方の端部を奥まで挿入しすぎてしまうことにより、反対側でもう一方の端部が挿入できなくなることを防ぐ役目も担っている。
【００５３】
図１１（ｂ）は、絆創膏Ｂが装填された絆創膏貼付補助具２００の端部を示す断面図である。上記隙間は絆創膏Ｂの厚さよりも薄く、絆創膏Ｂは折り返し部２０２を押し退けて挿入されている。この押し退けられた折り返し部２０２がもとに戻ろうとする力によって絆創膏Ｂが隙間Ｓにおいて挟み込まれている。この力によって滑り止め部２０４で摩擦力が生じ、絆創膏Ｂが抜けてしまうことを防ぐことができる。
【００５４】
図１１（ｃ）は、絆創膏Ｂが装填されて、指で撓ませた状態の絆創膏貼付補助具２００の端部を示す断面図である。絆創膏貼付補助具２００を撓ませると、撓んだ基部２０１には復元力によって指Ｔを押し戻す方向の力が生じる。また指Ｔは、絆創膏貼付補助具２００を撓ませるための力を絆創膏貼付補助具２００の折り返し部２０２に加えている。すなわち、絆創膏貼付補助具２００を撓ませると、上記基部２０１と折り返し部２０２との隙間Ｓを狭める力が加えられることになる。この力によって、滑り止め部２０４に生じる摩擦力は撓んでいないときよりも大きくなるため、絆創膏Ｂをより確実に把持することができる。
【００５５】
図１２（ａ）は、図１０に示す絆創膏貼付補助具２００を使用している様子を示す断面図である。
【００５６】
図１２（ａ）には、粘着テープ本体２１１、傷当てパッド２１２、２つの剥離紙２１３，２１４とからなる絆創膏Ｂが示され、絆創膏貼付補助具２００にこの絆創膏Ｂが装填されている。さらに、この絆創膏貼付補助具２００の両端が片手の親指Ｔと人指し指Ｆとで把持された様子が示されている。
【００５７】
絆創膏Ｂは剛性が低く復元力が十分でない。このため、この絆創膏Ｂの両端を親指と人差し指のそれぞれの指先の腹で挟むと、絆創膏Ｂがこれら指先の腹を押し返せない場合がある。この場合には、絆創膏Ｂを挟む力が弱まると、絆創膏Ｂが撓んだ状態のまま落ちてしまうことがある。
【００５８】
上記絆創膏Ｂを装填した状態の絆創膏貼付補助具２００は、この絆創膏Ｂの剛性よりも高い剛性と、弾性を有するものである。親指と人差し指のそれぞれの指先の腹で絆創膏貼付補助具２００を撓ませると、この弾性による復元力によってこれら指先の腹が押し返される。したがって、絆創膏補助具２００を撓ませる力が弱まっても、絆創膏Ｂが装填された絆創膏貼付補助具２００を落とさずに把持することができる。
【００５９】
この絆創膏貼付補助具２００を撓ませると、差し込まれた絆創膏Ｂも絆創膏貼付補助具２００とともに撓む。この撓みによって、絆創膏貼付補助具２００の基部２０１と折り返し部２０２によって形成された隙間が狭められ、絆創膏Ｂを挟み込む力が増加し、この絆創膏Ｂの端部を把持させたまま絆創膏貼付補助具２００を撓ませることができる。
【００６０】
ここで、絆創膏Ｂは、粘着テープ本体２１１、剥離紙２１３，２１４および傷当てパッド２１２からなるものである。粘着テープ本体２１１は、裏表両面のうち裏面にのみ粘着剤が塗布されたものである。剥離紙２１３，２１４は、粘着テープ本体の裏面側に２つに分割されて配置されたものである。傷当てパッド２１２は、粘着テープ本体２１１の長手方向中央部分に設けられ、人体の創傷部に宛がわれるものである。
【００６１】
絆創膏Ｂの端部を把持させたまま絆創膏貼付補助具２００を撓ませることによって、剥離紙２１３，２１４には粘着テープ本体２１１から剥離する方向の力が加わり、粘着テープ本体２１１および傷当てパッド２１２が外部に露出する。この粘着テープ本体２１１および傷当てパッド２１２を患部に貼り付けた後、撓ませる力を緩めれば、端部の隙間が絆創膏Ｂを挟み込む力を緩めることができる。絆創膏貼付補助具２００と絆創膏Ｂとは非接着であるため、絆創膏Ｂを挟み込む力を緩めれば、患部に貼り付いた粘着テープ本体２１１を残して絆創膏貼付補助具２００だけを簡単に取り去ることができる。例えば、絆創膏貼付補助具２００を長手方向と直交する幅方向にスライドさせることで、絆創膏貼付補助具２００を容易に取り去ることができる。残った粘着テープ本体２１１にまだ剥離紙２１３，２１４が付いたままであっても、粘着テープ本体２１１の中央部は既に貼りついた状態であるため、片手でも剥離紙２１３，２１４を容易に取り去ることができる。なお、絆創膏貼付補助具２００の基部２０１は指で撓ませることができる可撓性を有するものであれば、例えば図１２（ｂ）に示すように基部２０１が折り曲げられるようなものであってもよい。また、折り返し部２０２を設けることによって形成される隙間で絆創膏Ｂを把持するものに限定されず、例えば図１３に示す絆創膏貼付補助具２２０のように、基部２２１とベルト２２２を備えて、絆創膏Ｂを把持するための隙間を形成するものであってもよい。
【００６２】
図１３は、本発明の粘着テープ貼付補助具の第２実施形態である、ベルトを用いた絆創膏貼付補助具を示す正面図である。
【００６３】
この図１３に示す絆創膏貼付補助具２２０は、ベルト２２２を所定方向（図１３に示す矢印参照）に動かすことができるようになっており、このベルト２２２の位置を調整することで絆創膏Ｂの長さが異なる場合でも対応できる。図１３に示す絆創膏貼付補助具２２０では、絆創膏Ｂの長手方向両端部を、基部２２１とベルト２２２の間に挟み、この絆創膏貼付補助具２２０に絆創膏Ｂを取り付ける。また、これまで説明した要領と同じようにして、図１３に示す絆創膏Ｂが装填された絆創膏貼付補助具２２０を指で挟んで撓ませ、傷当てパッド２１２を人体の創傷部に宛がうと、絆創膏Ｂにおける、傷当てパッド２１２周囲の接着剤によって、絆創膏Ｂは人体に固定される。その後、ベルト２２２を絆創膏Ｂから遠ざける方向に動かし、患部に貼り付いた粘着テープ本体２１１を残して絆創膏貼付補助具２００だけを取り去る。ベルト２２２は、本発明にいう把持板の一例に相当し、このベルト２２２は、ベルト２２２を絆創膏Ｂから遠ざける方向に動かすといった所定の外力を加わえることで絆創膏Ｂの把持を解除するものである。
【００６４】
以下、本発明に関することについて付記する。
（付記１）
粘着剤が塗布された粘着面および粘着剤が塗布されていないテープ表面とを有する粘着テープ本体と、
前記テープ表面に重ねられ、前記粘着テープ本体の所定方向の両端からはみ出したはみ出し両端部を有し、可撓性をもった可撓板と、
前記粘着面の所定方向の一方の端部から該粘着面の所定方向を横切る所定の境界線までの領域を覆う第１覆い部と、該端部から所定方向にはみ出している第１はみ出し部とを有する第１粘着面側片と、
前記粘着面の所定方向の端部のうち、前記一方の端部に対する他方の端部から前記所定の境界線までの領域を覆う第２覆い部と、該他方の端部から所定方向にはみ出している第２はみ出し部とを有する第２粘着面側片とを備え、
前記第１粘着面側片は、前記第１はみ出し部が、前記はみ出し両端部のうちの一方と接するものであり、
前記第２粘着面側片は、前記第２はみ出し部が、前記はみ出し両端部のうちのもう一方と接するものであることを特徴とする粘着テープ。
（付記２）
前記第１粘着面側片および前記第２粘着面側片は、前記粘着面に塗布された粘着剤の粘着力に対して所定の剥離性を有するものであることを特徴とする付記１記載の粘着テープ。
（付記３）
前記粘着面に塗布された粘着剤の粘着力に対して所定の剥離性を有し、該粘着面と前記第１粘着面側片の第１覆い部との間に挟まれて、該第１覆い部と接着されている第１剥離紙と、
前記粘着面に塗布された粘着剤の粘着力に対して所定の剥離性を有し、該粘着面と前記第２粘着面側片の第２覆い部との間に挟まれて、該第２覆い部と接着されている第２剥離紙とを備えたことを特徴とする付記１記載の粘着テープ。
（付記４）
前記第１粘着面側片および前記第２粘着面側片が、前記可撓板と一体のものであることを特徴とする付記１から３のいずれかの付記に記載の粘着テープ。
（付記５）
前記第１粘着面側片および前記第２粘着面側片それぞれは、前記所定方向に延びる縁を有するものであり、
前記縁が前記可撓板と分離可能に接着されるとともに前記第１粘着面側片および前記第２粘着面側片が前記所定の境界線で分離可能に接着され、前記可撓板、前記第１粘着面側片、および前記第２粘着面側片によって密閉された空間を形成し、
前記粘着テープ本体が、前記空間に収容されたものであることを特徴とする付記４記載の粘着テープ。
（付記６）
前記粘着テープ本体が、裏面中央部に、人体の創傷部に当てられる傷当てパッドを有するものであることを特徴とする付記１から５のいずれかの付記に記載の粘着テープ。
【符号の説明】
【００６５】
Ｐ    絆創膏
１    粘着テープ本体
１１    傷当てパッド
２    可撓板
２２    端部
２３    接着部分
３    剥離板
３０    剥離紙
３１    裏面側片
２００    絆創膏貼付補助具
２０１  基部
２０２  折り返し部
２０３  摘み部
２０４  滑り止め部
２０５  ストッパー
２２０  絆創膏貼付補助具
２２１  基部
２２２  ベルト
Ｂ  絆創膏
【図１】
2011067587.tif 000003
【図２】
2011067587.tif 000004
【図３】
2011067587.tif 000005
【図４】
2011067587.tif 000006
【図５】
2011067587.tif 000007
【図６】
2011067587.tif 000008
【図７】
2011067587.tif 000009
【図８】
2011067587.tif 000010
【図９】
2011067587.tif 000011
【図１０】
2011067587.tif 000012
【図１１】
2011067587.tif 000013
【図１２】
2011067587.tif 000014
【図１３】
2011067587.tif 000015
【手続補正書】
【提出日】平成22年7月9日(2010.7.9)
【手続補正１】
【補正対象書類名】特許請求の範囲
【補正対象項目名】全文
【補正方法】変更
【補正の内容】
【特許請求の範囲】
【請求項１】
裏表両面のうち裏面にのみ粘着剤が塗布された粘着テープ本体と、
前記粘着テープ本体の表面側に配置され、該粘着テープ本体の長手方向の長さよりも長く該粘着テープ本体の長手方向の両端部それぞれからはみだした端部を有し、該粘着テープ本体とは非接着であって該粘着テープ本体の剛性よりも高い剛性の可撓板と、
前記粘着テープ本体の裏面側に配置され、該粘着テープ本体の粘着力に対し所定の剥離性を有し、２つに分割された剥離板とを備え、
前記剥離板が、前記可撓板の前記端部で該可撓板に接していることを特徴とする粘着テープ。
【請求項２】
裏表両面のうち裏面にのみ粘着剤が塗布された粘着テープ本体と、
前記粘着テープ本体の表面側に配置され、該粘着テープ本体に非接着であって、弾性および該粘着テープ本体の剛性よりも高い剛性を有する可撓板と、
前記粘着テープ本体の裏面側に配置され、該粘着テープ本体の粘着力に対し所定の剥離性を有するとともに該粘着テープ本体の剛性よりも高い剛性を有し、所定方向に交わる方向の分割線で２つに分割された剥離板とを備え、
前記剥離板は、前記粘着テープ本体の前記所定方向両端部分で前記可撓板に固定されたものであることを特徴とする粘着テープ。
【請求項３】
前記剥離板が、前記可撓板と一体のものであることを特徴とする請求項１または２記載の粘着テープ。
【請求項４】
前記剥離板が、少なくとも、
前記裏面に塗布された粘着剤に接し前記所定方向に交わる方向で２つに分割された、該接着剤の粘着力に対して所定の剥離性を有する剥離紙と、
前記所定方向に交わる方向で２つに分割されるとともに前記剥離紙に固定され、さらに前記粘着テープ本体の前記所定方向両端部分で前記可撓板に固定された部分を有する裏面側片とから構成されたものであることを特徴とする請求項２記載の粘着テープ。
【請求項５】
前記裏面側片が、前記可撓板と一体のものであることを特徴とする請求項４記載の粘着テープ。
【請求項６】
前記粘着テープ本体が、裏面中央部に、人体の創傷部に当てられる傷当てパッドを有するものであることを特徴とする請求項１から５いずれか１項記載の粘着テープ。
【請求項７】
前記可撓板および前記剥離板が袋体を形成するものであって、
前記粘着テープ本体が、前記袋体に収容されたものであることを特徴とする請求項１から６いずれか１項記載の粘着テープ。
【請求項８】
裏表両面のうち裏面にのみ粘着剤が塗布された粘着テープ本体と、該粘着テープ本体の裏面側に２つに分割されて配置された剥離紙とを有する粘着テープの貼付作業を補助する粘着テープ貼付補助具であって、
前記粘着テープ本体の表面側に配置され、該粘着テープ本体の所定方向に延在し該粘着テープ本体に非接着であって、弾性および該粘着テープ本体の剛性よりも高い剛性を有する可撓板と、
前記粘着テープの所定方向の両端部それぞれが差し込まれる隙間を前記可撓板との間で形成し、該粘着テープの、該隙間に差し込まれた該両端部それぞれを把持する２つの把持板とを備え、
前記可撓板は、前記両端部を互いに近づけて前記裏面側が突出するようにこの可撓板をたわませると、前記把持板との間が狭まるものであることを特徴とする粘着テープ貼付補助具。
【請求項９】
前記可撓板または前記把持板の少なくともいずれか一方が、前記隙間を形成する面に滑り止めを有するものであることを特徴とした請求項８記載の粘着テープ貼付補助具。
【請求項１０】
前記滑り止めは、前記粘着テープの前記両端部を前記可撓板の前記所定方向中央に向かう方向に移動させる際の摩擦係数が、該粘着テープの前記両端部を該可 撓板の該所定方向中央から遠ざける方向に移動させる際の摩擦係数よりも大きなものであることを特徴とする請求項９記載の粘着テープ貼付補助具。
【手続補正２】
【補正対象書類名】明細書
【補正対象項目名】００１９
【補正方法】変更
【補正の内容】
【００１９】
上記課題を解決するために、本発明の粘着テープ貼付補助具は、
裏表両面のうち裏面にのみ粘着剤が塗布された粘着テープ本体と、その粘着テープ本体の裏面側に２つに分割されて配置された剥離紙とを有する粘着テープの貼付作業を補助する粘着テープ貼付補助具であって、
上記粘着テープ本体の表面側に配置され、その粘着テープ本体の所定方向に延在しその粘着テープ本体に非接着であって、弾性およびその粘着テープ本体の剛性よりも高い剛性を有する可撓板と、
上記粘着テープの所定方向の両端部それぞれが差し込まれる隙間を上記可撓板との間で形成し、その粘着テープの、その隙間に差し込まれたその両端部それぞれを把持する２つの把持板とを備え、
前記可撓板は、前記両端部を互いに近づけて前記裏面側が突出するようにこの可撓板をたわませると、前記把持板との間が狭まるものであることを特徴とする。
【手続補正３】
【補正対象書類名】明細書
【補正対象項目名】００２３
【補正方法】削除
【補正の内容】
【手続補正４】
【補正対象書類名】明細書
【補正対象項目名】００６４
【補正方法】変更
【補正の内容】
【００６４】
以下、本発明に関することについて付記する。
（付記１）
粘着剤が塗布された粘着面および粘着剤が塗布されていないテープ表面とを有する粘着テープ本体と、
前記テープ表面に重ねられ、前記粘着テープ本体の所定方向の両端からはみ出したはみ出し両端部を有し、可撓性をもった可撓板と、
前記粘着面の所定方向の一方の端部から該粘着面の所定方向を横切る所定の境界線までの領域を覆う第１覆い部と、該端部から所定方向にはみ出している第１はみ出し部とを有する第１粘着面側片と、
前記粘着面の所定方向の端部のうち、前記一方の端部に対する他方の端部から前記所定の境界線までの領域を覆う第２覆い部と、該他方の端部から所定方向にはみ出している第２はみ出し部とを有する第２粘着面側片とを備え、
前記第１粘着面側片は、前記第１はみ出し部が、前記はみ出し両端部のうちの一方と接するものであり、
前記第２粘着面側片は、前記第２はみ出し部が、前記はみ出し両端部のうちのもう一方と接するものであることを特徴とする粘着テープ。
（付記２）
前記第１粘着面側片および前記第２粘着面側片は、前記粘着面に塗布された粘着剤の粘着力に対して所定の剥離性を有するものであることを特徴とする付記１記載の粘着テープ。
（付記３）
前記粘着面に塗布された粘着剤の粘着力に対して所定の剥離性を有し、該粘着面と前記第１粘着面側片の第１覆い部との間に挟まれて、該第１覆い部と接着されている第１剥離紙と、
前記粘着面に塗布された粘着剤の粘着力に対して所定の剥離性を有し、該粘着面と前記第２粘着面側片の第２覆い部との間に挟まれて、該第２覆い部と接着されている第２剥離紙とを備えたことを特徴とする付記１記載の粘着テープ。
（付記４）
前記第１粘着面側片および前記第２粘着面側片が、前記可撓板と一体のものであることを特徴とする付記１から３のいずれかの付記に記載の粘着テープ。
（付記５）
前記第１粘着面側片および前記第２粘着面側片それぞれは、前記所定方向に延びる縁を有するものであり、
前記縁が前記可撓板と分離可能に接着されるとともに前記第１粘着面側片および前記第２粘着面側片が前記所定の境界線で分離可能に接着され、前記可撓板、前記第１粘着面側片、および前記第２粘着面側片によって密閉された空間を形成し、  前記粘着テープ本体が、前記空間に収容されたものであることを特徴とする付記４記載の粘着テープ。
（付記６）
前記粘着テープ本体が、裏面中央部に、人体の創傷部に当てられる傷当てパッドを有するものであることを特徴とする付記１から５のいずれかの付記に記載の粘着テープ。
（付記７）
裏表両面のうち裏面にのみ粘着剤が塗布された粘着テープ本体と、該粘着テープ本体の裏面側に２つに分割されて配置された剥離紙とを有する粘着テープの貼付作業を補助する粘着テープ貼付補助具であって、
前記粘着テープ本体の表面側に配置され、該粘着テープ本体の所定方向に延在し該粘着テープ本体に非接着であって、弾性および該粘着テープ本体の剛性よりも高い剛性を有する可撓板と、
前記粘着テープの所定方向の両端部それぞれが差し込まれる隙間を前記可撓板との間で形成し、該粘着テープの、該隙間に差し込まれた該両端部それぞれを把持する２つの把持板とを備えたことを特徴とする粘着テープ貼付補助具。